(57)【要約】【課題】自動車等の解体対象物体を解体して所要の部品を回収する作業において、解体作業機械による作業性を高めることができる解体作業システムを提供する。【解決手段】解体作業システムは、カメラ３０と情報報知部３３とを備える。解体対象物体５０には、回収すべき対象部品に関する情報が記載された複数のシール６３を含むシールセット６０が貼り付けらており、各シール６３は対応する対象部品の取外し毎に剥がされる。情報報知部３３は、解体作業機械１による作業の開始時に、カメラ３０の撮影画像におけるシール６３の配置状態に基づいて、解体作業機械１により取り外すべき対象部品を特定して、運転者に報知する。【選択図】図１
2020087454.tif 000002
【特許請求の範囲】
【請求項１】
解体対象物体から１つ以上の所定種類の対象部品を取り外す作業を、運転者が操縦する解体作業機械を用いて行うための解体作業システムであって、
前記解体対象物体から回収すべき複数の対象部品のそれぞれに対応付られた複数のシールであって、対応する各対象部品に関する部品識別情報が各々記載されている複数のシールが、それぞれに対応する各対象部品の取外し後に剥離され得るように貼り付けられた該解体対象物体の所定の部位を撮影し得るように、前記解体作業機械の作業現場に設けられたカメラと、
該カメラの撮影画像から得られた報知情報を出力する情報報知部とを備えており、
前記複数のシールは、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記情報報知部は、前記解体作業機械の作業現場で前記カメラにより撮影された前記解体対象物体の所定の部位の撮影画像を取得すると共に、該撮影画像における前記シールが存在する部分の配置状態、又は前記シールが剥がされた部分の配置状態に基づいて、前記解体対象物体から取り外すべき前記所定種類の対象部品、又は、取り外し済の前記所定種類の対象部品を特定し、当該特定した対象部品を前記運転者に認識させる報知情報を該運転者に報知するように構成されていることを特徴とする解体作業システム。
【請求項２】
請求項１記載の解体作業システムにおいて、
前記情報報知部は、前記解体対象物体から取り外すべき前記所定種類の対象部品を特定し得るように構成されていると共に、当該特定した対象部品の前記解体対象物体における搭載位置を示す情報を前記運転者にさらに報知し得るように構成されていることを特徴とする解体作業システム。
【請求項３】
請求項１又は２記載の解体作業システムにおいて、
前記情報報知部は、前記解体対象物体の所定の部位の撮影画像における前記シールが存在する部分の配置状態に基づいて、前記解体対象物体から取り外されていない対象部品のうちの前工程で取り外されているべき対象部品を特定し得るように構成されていると共に、当該対象部品を特定したとき、当該対象部品が前記解体対象物体に残存している旨の報知情報を出力し得るように構成されていることを特徴とする解体作業システム。
【請求項４】
請求項１〜３のいずれか１項に記載の解体作業システムにおいて、
前記解体対象物体の所定の部位には、前記複数のシールの他に、該解体対象物体の種類を示す情報が記載された第２のシールが貼り付けられており、
前記情報報知部は、前記解体対象物体から取り外すべき前記所定種類の対象部品を特定し得るように構成されていると共に、前記解体対象物体の所定の部位の撮影画像のうちの前記第２のシールの撮影画像から、該解体対象物体の種類を特定し得るように構成されており、さらに、少なくとも該解体対象物体の種類と前記解体対象物体から取り外すべき前記所定種類の対象部品との組を記憶保持し、又は外部機器に送信し得るように構成されていることを特徴とする解体作業システム。
【請求項５】
請求項１〜４のいずれか１項に記載の解体作業システムが搭載されていることを特徴とする解体作業機械。
【請求項６】
解体対象物体から回収すべき複数の対象部品のそれぞれに対応付られた複数のシールであって、対応する各対象部品に関する部品識別情報が各々記載された複数のシールを該解体対象物体の所定の部位に剥離可能に貼り付ける第１工程と、
各シールに記載された部品識別情報により示される対象部品を前記解体対象物体から取り外すと共に、当該取り外した対象部品に対応するシールを該解体対象物体から剥がす第２工程とを備えており、
前記複数のシールは、前記第１工程において、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記第２工程は、前記解体対象物体を解体し得る解体作業機械を用いて１つ以上の所定種類の対象部品を取り外す第２ａ工程を含んでおり、
前記第２ａ工程の前工程の終了後、該第２ａ工程の開始前に、前記解体対象物体の前記所定の部位を撮影する撮影工程と、該所定の部位の撮影画像における前記シールが存在する部分の配置状態、又は前記シールが剥がされた部分の配置状態に基づいて、前記第２ａ工程で取り外すべき前記所定種類の対象部品又は取外し済の前記所定種類の対象部品を特定し、当該特定した対象部品を前記解体作業機械の運転者に認識させる報知情報を出力する報知工程とをさらに備えることを特徴とする解体対象物体の部品回収方法。
【請求項７】
請求項６記載の解体対象物体の部品回収方法において、
前記報知工程では、前記解体対象物体から取り外すべき前記所定種類の対象部品を特定し、該対象部品の前記解体対象物体における搭載位置を前記運転者に認識させる情報をさらに出力することを特徴とする解体対象物体の部品回収方法。
【請求項８】
請求項６又は７記載の解体対象物体の部品回収方法において、
前記撮影工程で得られた撮影画像における前記シールが存在する部分の配置状態に基づいて、前記解体対象物体から取り外されていない対象部品のうちの前記前工程で取り外されているべき対象部品を特定する工程と、当該対象部品を特定したとき、当該対象部品が前記解体対象物体に残存している旨の報知情報を出力する工程とをさらに備えることを特徴とする解体対象物体の部品回収方法。
【請求項９】
請求項６〜８のいずれか１項に記載の解体対象物体の部品回収方法において、
前記解体対象物体の所定の部位には、前記複数のシールの他に、該解体対象物体の種類を示す情報が記載された第２のシールが貼り付けられており、
前記撮影工程で得られた撮影画像のうちの前記第２のシールの撮影画像から、前記解体対象物体の種類を特定する工程と、少なくとも該解体対象物体の種類と、前記報知工程で特定された前記取り外すべき所定種類の対象部品との組を記憶保持し、又は外部機器に送信する工程とをさらに備えることを特徴とする解体対象物体の部品回収方法。
【請求項１０】
請求項６〜９のいずれか１項に記載の解体対象物体の部品回収方法において、
前記解体対象物体は自動車であり、前記第１工程で前記複数のシールを貼り付ける前記解体対象物体の所定の部位は、該解体対象物体の屋根部又はフロントガラスであることを特徴とする解体対象物体の部品回収方法。
【請求項１１】
解体対象物体の所定の部位に貼り付け可能であると共に、剥離可能な複数のシールを有するシールセットであって、
前記複数のシールのそれぞれは、前記解体対象物体から回収すべき複数の対象部品のそれぞれに対応付けられていると共に、対応する対象部品に関する部品識別情報が記載されており、
さらに、前記複数のシールは、前記解体対象物体の所定の部位に、該所定の部位の撮影画像から認識可能な所定の配列パターンで貼り付け可能であると共に、該配列パターン内での各シールの配置位置は、該シールに対応する対象部品毎にあらかじめ定められた位置であることを特徴とする解体対象物体の部品回収作業用のシールセット。
【請求項１２】
請求項１１記載の部品回収作業用のシールセットにおいて、 
前記解体対象物体の所定の部位に貼り付け可能であると共に、該解体対象物体の種類を表す情報が記載された第２のシールをさらに含むことを特徴とする部品回収作業用のシールセット。
【請求項１３】
解体対象物体から１つ以上の所定種類の対象部品を取り外す作業を、運転者が操縦する解体作業機械を用いて行うための解体作業システムであって、
前記解体対象物体から回収すべき複数の対象部品のそれぞれに対応付られた複数のシールが、それぞれに対応する各対象部品の取外し後に剥離され得るように貼り付けられた該解体対象物体の所定の部位を撮影し得るように、前記解体作業機械の作業現場に設けられたカメラと、
該カメラの撮影画像から得られた報知情報を出力する情報報知部とを備えており、
前記複数のシールは、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記情報報知部は、前記解体作業機械の作業現場で前記カメラにより撮影された前記解体対象物体の所定の部位の撮影画像を取得すると共に、該撮影画像における前記シールが存在する部分の配置状態、又は前記シールが剥がされた部分の配置状態に基づいて、前記解体対象物体から取り外すべき前記所定種類の対象部品、又は、取り外し済の前記所定種類の対象部品を特定し、当該特定した対象部品を前記運転者に認識させる報知情報を該運転者に報知するように構成されていることを特徴とする解体作業システム。
【請求項１４】
解体対象物体から回収すべき複数の対象部品のそれぞれに対応付られた複数のシールを該解体対象物体の所定の部位に剥離可能に貼り付ける第１工程と、
各シールに対応する対象部品を前記解体対象物体から取り外すと共に、当該取り外した対象部品に対応するシールを該解体対象物体から剥がす第２工程とを備えており、
前記複数のシールは、前記第１工程において、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記第２工程は、前記解体対象物体を解体し得る解体作業機械を用いて１つ以上の所定種類の対象部品を取り外す第２ａ工程を含んでおり、
前記第２ａ工程の前工程の終了後、該第２ａ工程の開始前に、前記解体対象物体の前記所定の部位を撮影する撮影工程と、該所定の部位の撮影画像における前記シールが存在する部分の配置状態、又は前記シールが剥がされた部分の配置状態に基づいて、前記第２ａ工程で取り外すべき前記所定種類の対象部品又は取外し済の前記所定種類の対象部品を特定し、当該特定した対象部品を前記解体作業機械の運転者に認識させる報知情報を出力する報知工程とをさらに備えることを特徴とする解体対象物体の部品回収方法。
【請求項１５】
解体対象物体の所定の部位に貼り付け可能であると共に、剥離可能な複数のシールを有するシールセットであって、
前記複数のシールのそれぞれは、前記解体対象物体から回収すべき複数の対象部品のそれぞれに対応付けられており、
さらに、前記複数のシールは、前記解体対象物体の所定の部位に、該所定の部位の撮影画像から認識可能な所定の配列パターンで貼り付け可能であると共に、該配列パターン内での各シールの配置位置は、該シールに対応する対象部品毎にあらかじめ定められた位置であることを特徴とする解体対象物体の部品回収作業用のシールセット。
【発明の詳細な説明】
【技術分野】
【０００１】
本発明は、自動車等の解体対象物体を解体して所要の部品を回収する作業を行うための解体作業システム、解体作業機械、および部品回収方法と、当該作業に使用するシールセットとに関する。
【背景技術】
【０００２】
従来、使用済の自動車の解体リサイクルに関する技術として、例えば特許文献１に見られる技術が知られている。この技術では、解体リサイクル作業を効率よく行い得るようにするために、解体対象の車両にＩＣタグを取り付けて、ＩＣタグに作業指示情報等を書き込んでおく。そして、ＩＣタグから読み込んだ作業指示情報に基づいて各工程の作業を行い、各工程の作業が終了すると、作業処理情報をＩＣタグに書き込む。
【先行技術文献】
【特許文献】
【０００３】
【特許文献１】特開２００７−１５７０９４号公報
【発明の概要】
【発明が解決しようとする課題】
【０００４】
しかしながら、特許文献１に見られる技術では、各工程の開始時に作業指示情報をＩＣタグから読み込んで表示器に表示させる作業の他に、各工程の終了時に作業処理情報をＩＣタグに書き込むという作業が必要になるため、手間がかかる。また、ＩＣタグは、小型なものであるため、特に解体作業機械による車両の解体作業中に該ＩＣタグが車両から脱落して紛失してしまったり、破壊されてしまう虞がある。
【０００５】
本発明はかかる背景に鑑みてなされたものであり、自動車等の解体対象物体を解体して所要の部品を回収する作業において、特に解体作業機械による作業性を高めることができる解体作業システム、解体作業機械、及び部品回収方法を提供することを目的とする。また、当該作業に適したシールセットを提供することを目的とする。
【課題を解決するための手段】
【０００６】
本発明の解体作業システムは、上記の目的を達成するために、解体対象物体から１つ以上の所定種類の対象部品を取り外す作業を、運転者が操縦する解体作業機械を用いて行うための解体作業システムであって、
前記解体対象物体から回収すべき複数の対象部品のそれぞれに対応付られた複数のシールであって、対応する各対象部品に関する部品識別情報が各々記載されている複数のシールが、それぞれに対応する各対象部品の取外し後に剥離され得るように貼り付けられた該解体対象物体の所定の部位を撮影し得るように、前記解体作業機械の作業現場に設けられたカメラと、
該カメラの撮影画像から得られた報知情報を出力する情報報知部とを備えており、
前記複数のシールは、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記情報報知部は、前記解体作業機械の作業現場で前記カメラにより撮影された前記解体対象物体の所定の部位の撮影画像を取得すると共に、該撮影画像における前記シールが存在する部分の配置状態、又は前記シールが剥がされた部分の配置状態に基づいて、前記解体対象物体から取り外すべき前記所定種類の対象部品、又は、取り外し済の前記所定種類の対象部品を特定し、当該特定した対象部品を前記運転者に認識させる報知情報を該運転者に報知するように構成されていることを特徴とする（第１発明）。
【０００７】
かかる本発明によれば、前記解体対象物体の所定の部位には、該解体対象物体から回収すべき複数の対象部品のそれぞれに対応するシールが所定の配列パターンであらかじめ貼り付けられている。この場合、、各シールは、対応する対象部品の取外し後には解体対象物体から剥離されるものである。また、解体対象物体から回収すべき複数の対象部品にそれぞれ対応するシールの前記配列パターン内での配置位置は、各対象部品毎にあらかじめ定められている。
【０００８】
このため、前記解体作業機械の作業現場において、前記情報報知部が取得するカメラの撮影画像における前記シールが存在する部分の配置状態は、解体対象物体から未だ取り外されていない対象部品を示すものとなる。また、該撮影画像における前記シールが剥がされた部分の配置状態は、解体対象物体から取外し済の対象部品を示すものとなる。
【０００９】
従って、前記情報報知部は、解体作業機械による作業の開始前に、カメラの撮影画像における上記配置状態に基づいて、解体対象物体から取り外すべき前記所定種類の対象部品、又は、取り外し済の前記所定種類の対象部品を特定することが可能となる。そして、情報報知部は、当該特定した対象部品を前記運転者に認識させる報知情報を該運転者に報知する。
【００１０】
これにより、解体作業機械の運転者は、解体対象物体の所定の部位に貼り付けられているシールの記載内容を確認したりすることを必要とせずに、解体作業機械により取外すべき対象部品（所定種類の対象部品）を容易に認識したり、あるいは、解体対象物体から既に取り外されていて、解体作業機械による取外し作業を必要としない対象部品を容易に認識することが可能となる。その結果、運転者は、無駄の作業を行わないようにして、解体作業機械による必要な作業（取り外すべき所定種類の対象部品を解体作業物体から取り外す作業）を効率よく行うことが可能となる。
【００１１】
また、解体作業機械による対象部品の取外し作業の終了後には、作業終了情報をＩＣタグ等に記録する作業を必要とせずに、取り外した対象部品に対応するシールを剥がすだけでよいので、解体対象物体を速やかに後工程に受けわたすことが可能となる。
【００１２】
よって、第１発明によれば、解体対象物体を解体して所要の部品を回収する作業において、解体作業機械による作業性を高めることが可能となる。
【００１３】
上記第１発明では、前記情報報知部は、前記解体対象物体から取り外すべき前記所定種類の対象部品を特定し得るように構成されていると共に、当該特定した対象部品の前記解体対象物体における搭載位置を示す情報を前記運転者にさらに報知し得るように構成されていることをが好ましい（第２発明）。
【００１４】
これによれば、解体作業機械の運転者は、取り外そうとする対象部品（所定種類の対象部品）が解体対象物体のどの位置に搭載されているのかを容易に認識することができる。このため、該対象部品の取外し作業を効率よく行うことが可能となる。
【００１５】
上記第１発明又は第２発明では、前記情報報知部は、前記解体対象物体の所定の部位の撮影画像における前記シールが存在する部分の配置状態に基づいて、前記解体対象物体から取り外されていない対象部品のうちの前工程で取り外されているべき対象部品を特定し得るように構成されていると共に、当該対象部品を特定したとき、当該対象部品が前記解体対象物体に残存している旨の報知情報を出力し得るように構成され得る（第３発明）。
【００１６】
これによれば、解体作業機械による作業を行う工程の前工程で取り外されるべき対象部品が解体対象物体に残存していることを、該前工程の作業者や、管理者等に報知することが可能となる。
【００１７】
上記第１〜第３発明では、前記解体対象物体の所定の部位には、前記複数のシールの他に、該解体対象物体の種類を示す情報が記載された第２のシールが貼り付けられており、前記情報報知部は、前記解体対象物体から取り外すべき前記所定種類の対象部品を特定し得るように構成されていると共に、前記解体対象物体の所定の部位の撮影画像のうちの前記第２のシールの撮影画像から、該解体対象物体の種類を特定し得るように構成されており、さらに、少なくとも該解体対象物体の種類と前記解体対象物体から取り外すべき前記所定種類の対象部品との組を記憶保持し、又は外部機器に送信し得るように構成され得る（第４発明）。
【００１８】
これによれば、解体作業機械による作業を実施した解体対象物体の種類と、該解体対象物体から取り外した対象部品との組を、情報報知部が備えるメモリや、外部のサーバ等の外部機器に保存しておくことが可能となる。ひいては、当該保存した情報を解体作業機械による作業管理に活用することが可能となる。
【００１９】
また、本発明の解体作業機械は、上記第１〜第４発明の解体作業システムが搭載されていることを特徴とする（第５発明）。これによれば、上記第１〜第４発明に関して説明した効果を奏し得る解体作業機械を提供できる。
【００２０】
また、本発明の解体対象物体の部品回収方法は、解体対象物体から回収すべき複数の対象部品のそれぞれに対応付られた複数のシールであって、対応する各対象部品に関する部品識別情報が各々記載された複数のシールを該解体対象物体の所定の部位に剥離可能に貼り付ける第１工程と、
各シールに記載された部品識別情報により示される対象部品を前記解体対象物体から取り外すと共に、当該取り外した対象部品に対応するシールを該解体対象物体から剥がす第２工程とを備えており、
前記複数のシールは、前記第１工程において、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記第２工程は、前記解体対象物体を解体し得る解体作業機械を用いて１つ以上の所定種類の対象部品を取り外す第２ａ工程を含んでおり、
前記第２ａ工程の前工程の終了後、該第２ａ工程の開始前に、前記解体対象物体の前記所定の部位を撮影する撮影工程と、該所定の部位の撮影画像における前記シールが存在する部分の配置状態、又は前記シールが剥がされた部分の配置状態に基づいて、前記第２ａ工程で取り外すべき前記所定種類の対象部品又は取外し済の前記所定種類の対象部品を特定し、当該特定した対象部品を前記解体作業機械の運転者に認識させる報知情報を出力する報知工程とをさらに備えることを特徴とする（第６発明）。かかる第６発明によれば、第１発明と同様の効果を奏することができる。
【００２１】
上記第６発明では、前記報知工程では、前記解体対象物体から取り外すべき前記所定種類の対象部品を特定し、該対象部品の前記解体対象物体における搭載位置を前記運転者に認識させる情報をさらに出力することが好ましい（第７発明）。これによれば、前記第２発明と同様の効果を奏することができる。
【００２２】
また、上記第６発明又は第７発明では、前記撮影工程で得られた撮影画像における前記シールが存在する部分の配置状態に基づいて、前記解体対象物体から取り外されていない対象部品のうちの前記前工程で取り外されているべき対象部品を特定する工程と、当該対象部品を特定したとき、当該対象部品が前記解体対象物体に残存している旨の報知情報を出力する工程とをさらに備えるという態様を採用し得る（第８発明）。これによれば、前記第３発明と同様の効果を奏することができる。
【００２３】
また、上記第６〜第８発明では、前記解体対象物体の所定の部位には、前記複数のシールの他に、該解体対象物体の種類を示す情報が記載された第２のシールが貼り付けられており、前記撮影工程で得られた撮影画像のうちの前記第２のシールの撮影画像から、前記解体対象物体の種類を特定する工程と、少なくとも該解体対象物体の種類と、前記報知工程で特定された前記取り外すべき所定種類の対象部品との組を記憶保持し、又は外部機器に送信する工程とをさらに備えるという態様を採用し得る（第９発明）。これによれば、前記第４発明ち同様の効果を奏することができる。
【００２４】
上記第６〜第９発明では、前記解体対象物体が自動車である場合には、前記第１工程で前記複数のシールを貼り付ける前記解体対象物体の所定の部位は、該解体対象物体の屋根部又はフロントガラスであることが好ましい（第１０発明）。これによれば、解体作業機械による作業の開始前に、前記シールが貼り付けられた自動車の部位が損傷したり、自動車から脱落してしまうのを極力防止することが可能となる。
【００２５】
また、本発明のシールセットは、解体対象物体の所定の部位に貼り付け可能であると共に、剥離可能な複数のシールを有するシールセットであって、
前記複数のシールのそれぞれは、前記解体対象物体から回収すべき複数の対象部品のそれぞれに対応付けられていると共に、対応する対象部品に関する部品識別情報が記載されており、
さらに、前記複数のシールは、前記解体対象物体の所定の部位に、該所定の部位の撮影画像から認識可能な所定の配列パターンで貼り付け可能であると共に、該配列パターン内での各シールの配置位置は、該シールに対応する対象部品毎にあらかじめ定められた位置であることを特徴とする（第１１発明）。
【００２６】
かかるシールセットを解体対象物体の所定の部位に事前に貼り付けておくことで、各対象部品を解体対象物体から取り外す毎に、該対象部品に対応するシールを剥がすことにより、解体対象物体の解体作業を行う各工程において、どの対象部品が解体対象物体に残存しているか、あるいは、どの対象部品が解体対象物体から取り外されているかを、解体対象物体の所定の部位における前記シールが存在する部分の配置状態、又は前記シールが剥がされた部分の配置状態に基づいて容易に特定することが可能となる。
このため、カメラを使用する前記解体作業システム、あるいは、解体作業機械、あるいは、部品回収方法を適切に適用することができる。
【００２７】
上記第１１発明では、前記解体対象物体の所定の部位に貼り付け可能であると共に、該解体対象物体の種類を表す情報が記載された第２のシールをさらに含み得る（第１２発明）。
これによれば、第２のシールにより、解体対象物体の種類を容易に認識することができる。
【００２８】
また、本発明の解体作業システムは、解体対象物体から１つ以上の所定種類の対象部品を取り外す作業を、運転者が操縦する解体作業機械を用いて行うための解体作業システムであって、
前記解体対象物体から回収すべき複数の対象部品のそれぞれに対応付られた複数のシールが、それぞれに対応する各対象部品の取外し後に剥離され得るように貼り付けられた該解体対象物体の所定の部位を撮影し得るように、前記解体作業機械の作業現場に設けられたカメラと、
該カメラの撮影画像から得られた報知情報を出力する情報報知部とを備えており、
前記複数のシールは、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記情報報知部は、前記解体作業機械の作業現場で前記カメラにより撮影された前記解体対象物体の所定の部位の撮影画像を取得すると共に、該撮影画像における前記シールが存在する部分の配置状態、又は前記シールが剥がされた部分の配置状態に基づいて、前記解体対象物体から取り外すべき前記所定種類の対象部品、又は、取り外し済の前記所定種類の対象部品を特定し、当該特定した対象部品を前記運転者に認識させる報知情報を該運転者に報知するように構成されているという態様を採用することもできる（第１３発明）。
【００２９】
これによれば、前記第１発明と同様の効果を奏することができる。なお、第１３発明に前記第２〜第４発明の構成を組み合わせることもできる。さらに、第１３発明、あるいは、これに第２〜第４発明の構成を組み合わせた解体作業システムが搭載されている解体作業機械を構築することもできる。
【００３０】
また、本発明の解体対象物体の部品回収方法は、解体対象物体から回収すべき複数の対象部品のそれぞれに対応付られた複数のシールを該解体対象物体の所定の部位に剥離可能に貼り付ける第１工程と、
各シールに対応する対象部品を前記解体対象物体から取り外すと共に、当該取り外した対象部品に対応するシールを該解体対象物体から剥がす第２工程とを備えており、
前記複数のシールは、前記第１工程において、前記解体対象物体の所定の部位に所定の配列パターンで貼り付けられると共に、前記複数の対象部品にそれぞれ対応するシールの前記配列パターン内での配置位置は、各対象部品毎にあらかじめ定められており、
前記第２工程は、前記解体対象物体を解体し得る解体作業機械を用いて１つ以上の所定種類の対象部品を取り外す第２ａ工程を含んでおり、
前記第２ａ工程の前工程の終了後、該第２ａ工程の開始前に、前記解体対象物体の前記所定の部位を撮影する撮影工程と、該所定の部位の撮影画像における前記シールが存在する部分の配置状態、又は前記シールが剥がされた部分の配置状態に基づいて、前記第２ａ工程で取り外すべき前記所定種類の対象部品又は取外し済の前記所定種類の対象部品を特定し、当該特定した対象部品を前記解体作業機械の運転者に認識させる報知情報を出力する報知工程とをさらに備えるという態様を採用することもできる（第１４発明）。
【００３１】
これによれば、前記第６発明と同様の効果を奏することができる。なお、第１４発明に前記第７〜第１０発明の構成を組み合わせることもできる。
【００３２】
また、本発明の部品回収作業用のシールセットは、解体対象物体の所定の部位に貼り付け可能であると共に、剥離可能な複数のシールを有するシールセットであって、
前記複数のシールのそれぞれは、前記解体対象物体から回収すべき複数の対象部品のそれぞれに対応付けられており、
さらに、前記複数のシールは、前記解体対象物体の所定の部位に、該所定の部位の撮影画像から認識可能な所定の配列パターンで貼り付け可能であると共に、該配列パターン内での各シールの配置位置は、該シールに対応する対象部品毎にあらかじめ定められた位置であるという態様を採用することもできる（第１５発明）。
【００３３】
これによれば、前記第１１発明と同様の効果を奏することができる。なお、第１５発明に、前記第１２発明の構成を組み合わせることもできる。
【図面の簡単な説明】
【００３４】
【図１】本発明の実施形態における解体作業機械と解体対象物体としての自動車とを示す図。
【図２】実施形態の解体作業機械に搭載された解体作業システムの構成を示すブロック図。
【図３】図３Ａは実施形態の自動車に貼り付けられる初期状態のシールセットを示す図、図３Ｂは解体作業機械による作業工程に搬送された自動車に貼り付けられているシールセットを例示する図。
【発明を実施するための形態】
【００３５】
本発明の一実施形態を図１〜図３Ｂを参照して以下に説明する。図１を参照して、本実施形態における解体作業機械１は、解体対象物体の一例としての自動車５０を解体すると共に該自動車５０からハーネス等の所要の対象部品を回収する作業を行い得る作業機械である。この解体作業機械１は、例えば油圧ショベル型の作業機械であり、クローラ式の走行体２と、走行体２上に旋回可能に搭載された旋回体３と、旋回体３に取り付けられた作業装置４とを備える。
【００３６】
旋回体３の前部には、解体作業機械１の運転者が搭乗する運転室３ａが備えられ、後部には、図示しないエンジン、油圧装置等が収容された機械室３ｂが備えられている。
【００３７】
作業装置４は、運転室３ａの側方箇所で旋回体３の前部からピッチ方向（旋回体３の左右方向の軸周り方向）に揺動可能に延設されたブーム１１と、ブーム１１の先端部からピッチ方向に揺動可能に延設されたアーム１３と、アーム１３の先端部にピッチ方向に揺動可能に取り付けられた解体作業用のアタッチメント２０と、ブーム１１、アーム１３及びアタッチメント２０をそれぞれ揺動させるアクチュエータとしての油圧シリンダ１２，１４，１６とを備える。
【００３８】
アタッチメント２０は、図示例では破砕機（所謂、ニブラ）である。該アタッチメント２０は、アーム１３に対してピッチ方向に揺動し得るように該アーム１３の先端部に揺動軸１３ａを介して軸支された基部２１と、該基部２１に搭載された油圧モータ２２により、揺動軸１３ａと直交する軸心Ｃ１周りに回転駆動し得るように該基部２１に取付けられた本体部２３と、本体部２３に搭載された図示しない油圧シリンダにより開閉し得るようにた該本体部２３に取付けられた一対の爪部２４ａ，２４ｂとを備える。
【００３９】
かかるアタッチメント２０を備える作業装置４は、該アタッチメント２０の爪部２４ａ，２４ｂにより自動車５０の車体の構成部材（車体フレーム、ドア等）、あるいは、自動車５０に搭載されている種々の部品を把持もしくは係止することが可能である。そして、ブーム１１、アーム１３、及びアタッチメント２０のそれぞれの揺動動作、あるいは、アタッチメント２０の本体部２３の回転動作（軸心Ｃ１周りの回転動作）を行うことで、爪部２４ａ，２４ｂにより把持もしくは係止した部材もしくは部品を任意に動かすことが可能である。
【００４０】
なお、解体作業機械１は、アタッチメント２０の他、自動車５０を挟み込むことが可能な左右一対のアームが走行体２から前方側に延設されたものであってもよい。また、走行体２は、クローラ式に限らず、車輪型の走行体であってもよい。
【００４１】
ここで、本実施形態における解体対象物体としての自動車５０の所定の部位の上面（外表面）、例えば、屋根部５１の上面には、解体作業用のシールセット６０が、自動車５０の解体作業の開始前に、あらかじめ貼り付けられている。以下にこのシールセット６０について説明しておく。
【００４２】
このシールセット６０は、例えば図３Ａに例示する如く、自動車５０の屋根部５１の上面に貼り付けられる方形状の台座シール６１と、自動車５０の車両識別情報を表すバーコード６２ａが記載されたシール６２（以降、車両情報シール６２という）と、自動車５０から回収すべき複数の対象部品のそれぞれに関する部品識別情報が各々記載されている複数のシール６３（以降、部品情報シール６３という）とを含む。各部品情報シール６３は、本発明におけるシールに相当し、車両情報シール６２は、本発明における第２のシールに相当するものである。なお、図３Ａでは、部品情報シール６３の全体のうちの一部の部品情報シール６３だけに代表的に参照符号を付している。
【００４３】
台座シール６１は、シールセット６０全体の台座に相当するものである。該台座シール６１の裏面は接着性を有する面であり、その裏面が自動車５０の屋根部５１の上面に接着される。
【００４４】
車両情報シール６２のバーコード６２ａにより表される車両識別情報は、より詳しくは、自動車５０の分類種別を表し、もしくは特定し得る情報である。該車両識別情報としては、例えば、自動車５０のメーカ、車種、形状、サイズ、グレード等を示す情報、あるいは、車体番号を示す情報等を使用し得る。なお、車両識別情報は、バーコード６２ａ以外の形態、例えば、ＱＲコード（登録商標）、もしくは識別符号等の形態で車両情報シール６２に記載されていてもよい。
【００４５】
各部品情報シール６３は、複数の対象部品のそれぞれに対応付けられている。そして、各部品情報シール６３には、例えば、対応する対象部品の名称（もしくは種類、もしくは部品コード）、自動車５０における該対象部品の搭載位置、解体作業現場において該対象部品の回収作業を行うべき工程（もしくは場所）等を示す情報が、対応する対象部品に関する部品識別情報として記載されている。なお、部品識別情報は、文字情報に限らず、例えば図形、記号等の情報を含み得る。
【００４６】
車両情報シール６２及び部品情報シール６３のそれぞれは、台座シール６１よりも小面積の所定形状（図示例では、例えば方形状）のシールである。そして、シールセット６０に含まれる複数の部品情報シール６３は、台座シール６１の所定の配置領域ＡＲ（図３Ｂを参照）で、所定の配列パターン、例えばマトリクス状の配列パターン（縦横に並ぶ配列パターン）で、台座シール６１の表面に貼り付けられている。この場合、各部品情報シール６３は、対応する対象部品が自動車５０から取り外された後に、台座シール６１上から除去することができるように、台座シール６１に剥離可能に貼り付けられている。
【００４７】
さらに、シールセット６０に含まれる複数の部品情報シール６３の全体の配列パターンにおいて、各対象部品に対応する部品情報シール６３の配置位置は、各対象部品毎にあらかじめ定められている。例えば、自動車５０の前部のハーネスに対応する部品情報シール６３は第２列第４行の位置、フロントガラス用のワイパーモータに対応する部品情報シール６３は第１列第３行の位置、というように、各対象部品に対応する部品情報シール６３の配置位置があらかじめ定められている。従って、各部品情報シール６３は、対応する対象部品に応じて定められた所定の配置位置で、台座シール６１に貼り付けられている。
【００４８】
また、後述のカメラ３０によるシールセット６０の撮影画像から、各部品情報シール６３が台座シール６１に貼り付けられているか（台座シール６１上に存在しているか）、該台座シール６１から剥離されているか（台座シール６１上に存在していないか）を判別しやすくするために、例えば、各部品情報シール６３の表面の色は、台座シール６１の表面の色と、色属性（色相、明度、もしくは彩度）が異なる色に設定されている。あるいは、各部品情報シール６３の表面と、該部品情報シール６３が貼り付けられる台座シール６１の表面（領域ＡＲの表面）とのうちの一方の表面に、他方の表面には付されていない模様、図形、マーク等が付されていてよい。
【００４９】
また、車両情報シール６２は、台座シール６１のうちの、部品情報シール６３の配置領域ＡＲの外側の所定の位置（図示例では、例えば、台座シール６１の角部寄りの位置）で台座シール６１に貼り付けられている。
なお、車両情報シール６２のバーコード６２ａ及び各部品情報シール６３の部品識別情報は、例えば印刷によりそれぞれのシールに記載され得る。
【００５０】
本実施形態では、上記の如く構成されたシールセット６０の台座シール６１が、解体作業の実施前の自動車５０の屋根部５１の上面にあらかじめ貼り付けられる。これにより、車両情報シール６２及び部品情報シール６３は、台座シール６１を介して自動車５０の屋根部５１の上面に貼り付けられる。
【００５１】
補足すると、台座シール６１の色、あるいは、車両情報シール６２及び部品情報シール６３のそれぞれの色は、台座シール６１の貼り付け部位である自動車５０の屋根部５１との区別がつきやすいように、該屋根部５１の上面の色と、色属性が異なる色を採用しておくことが好ましい。あるいは、例えば、台座シール６１の周縁部（車両情報シール６２及び部品情報シール６３が配置されない周縁部）の色、もしくは、車両情報シール６２及び部品情報シール６３のそれぞれの周縁部の色だけが、屋根部５１の上面の塗装色と、色属性が異なる色になっていてもよい。
【００５２】
また、部品情報シール６３の全体の配列パターンは、マトリクス状の配列パターンに限らず、例えば、千鳥格子状の配列パターン、あるいは、所定の図形もしくは文字等を形成する配列パターン等であってもよい。
【００５３】
また、該配列パターンは、例えば、自動車５０のメーカ、車種、形状、サイズ、もしくは、グレード等に応じて区分される自動車５０の種類（分類種別）毎に、各別の配列パターンであってもよい。
【００５４】
また、複数の種類の自動車５０に対して、上記配列パターンと、各対象部品毎の部品情報シール６３の配置位置とが共通化されていてもよい。この場合、当該複数の種類のうちのいずれかの種類の自動車５０が特定の対象部品を備えない場合には、該対象部品に対応する部品情報シール６３を台座シール６１からあらかじめ除去しておくようにすればよい。
【００５５】
本実施形態の解体作業機械１は、上記の如きシールセット６０が貼り付けられた自動車５０の解体作業の全体の工程のうちの、所定の工程において、ハーネス等の所定種類の対象部品を取り外して回収するために使用される。そして、本実施形態の解体作業機械１には、本発明の解体作業システムの一実施形態としてのシステムが搭載されている。
【００５６】
具体的には、図２に示すように、解体作業機械１には、解体対象物体としての自動車５０に貼り付けられたシールセット６０を撮影し得るカメラ３０と、サーバ等の外部機器と無線通信を行うための通信機３１と、種々の情報を表示する表示器３２と、種々の制御処理を行い得るコントローラ３３とが搭載されている。・
【００５７】
カメラ３０は、例えば、図１に示す如く、旋回体３の運転室３ａの天井部に、旋回体３の前側下方を撮影し得るように装着されている。また、図１での図示は省略するが、表示器３２は、例えば運転室３ａ内の前部に配置され、通信機３１及びコントローラ３３は、例えば旋回体３の任意の適所に配置される。なお、表示器３２は、例えば液晶ディスプレイ、あるいは、ヘッドアップディスプレイ等により構成され得る。あるいは、拡張現実の情報を表示し得るヘッドマウントディスプレイにより表示器３２を構成することも可能である。
【００５８】
コントローラ３３は、例えばマイコン、メモリ、インターフェース回路等を含む電子回路ユニットにより構成され、カメラ３０の撮影信号を該カメラ３０から取得し得る。また、コントローラ３３は、通信機３１を介して外部機器と通信を行うことが可能である。また、コントローラ３３は、表示器３２の表示情報を制御することが可能である。
【００５９】
このコントローラ３３は、実装されたハードウェア構成及びプログラム（ソフトウェア構成）の両方又は一方により実現される機能によって、本発明における情報報知部としての機能を有する。具体的には、コントローラ３３は、例えば、カメラ３０によるシールセット６０の撮影画像から、自動車５０に残存する（取り外されていない）対象部品、あるいは、自動車５０から回収済（取外し済み）の対象部品を認識する機能と、種々の報知情報を表示器３２に表示させたり、あるいは、通信機３１を介して外部機器に送信する機能とを含む。なお、コントローラ３３は、解体作業機械１の運転制御を行う機能を含んでいてもよい。
【００６０】
次に、解体作業機械１による解体作業時に、コントローラ３３が実行する処理について具体的に説明する。
【００６１】
解体対象物体としての自動車５０は、その屋根部５１の上面にシールセット６０が貼り付けられた後に、例えば、エンジン、バッテリ、車輪、動力伝達装置（変速装置等）、サスペンション装置等をそれぞれ取り外す工程、燃料タンクから燃料を抜き取る工程等の種々の前工程を経て、解体作業機械１による作業（所定種類の対象部品を自動車５０から取り外して回収する作業）を行う工程に搬送される。この場合、各前工程では、自動車５０から取り外した対象部品（燃料を含む）のそれぞれに対応する部品情報シール６３が、自動車５０に貼り付けられている台座シール６１から剥がされる。なお、剥がされた部品情報シール６３は、例えば、該部品情報シール６３に対応して取り外された対象部品、もしくは該対象部品を収容する袋等の収容部材に添付され得る。
【００６２】
解体作業機械１による作業を行う工程では、解体作業機械１の運転者は、まず、カメラ３０と自動車５０との位置関係が、自動車５０のシールセット６０をカメラ３０により撮影し得る状態になるように、走行体２の走行動作又は旋回体３の旋回動作を行わせ、あるいは、作業装置４により自動車５０を動かす。
【００６３】
この場合、コントローラ３３は、例えば、運転者による所定の操作（撮影開始のためのスイッチ操作、音声入力等）に応じて、カメラ３０の撮影画像（動画映像）を取得しつつ、該撮影画像を表示器３２に表示させる。そして、運転者は、該撮影画像を表示器３２で随時確認しながら、該撮影画像にシールセット６０の全体が写るように、走行体２の走行動作又は旋回体３の旋回動作を行わせるか、あるいは、作業装置４により自動車５０を動かす。
【００６４】
なお、カメラ３０は、その光軸方向を、例えば運転者のリモコン操作に応じて、電動モータにより調整し得るように構成されていてもよい。この場合には、運転者は、カメラ３０の撮影画像に、シールセット６０の全体が写るように、カメラ３０の光軸方向をリモコン操作で調整することも可能である。
【００６５】
次に、運転者は、カメラ３０の撮影画像にシールセット６０の全体が写る状態で、シールセット６０の撮影画像から情報を認識する処理をコントローラ３３に実行させるための所定の操作（スイッチ操作、音声入力等）を行う。あるいは、コントローラ３３が自動的に当該処理を開始する。
【００６６】
この処理では、コントローラ３３は、カメラ３０の撮影画像（静止画像）を取得する。この場合、解体作業機械１による作業を行う工程では、例えば図３Ｂに例示する状態のシールセット６０の撮影画像が取得される。該シールセット６０では、部品情報シール６３の全体のうちのいくつかが前工程で剥がされている。
【００６７】
そして、コントローラ３３は、当該取得した撮影画像のうちの車両情報シール６２の画像中のバーコード６２ａを読み取る。さらに、コントローラ３３は、読み取ったバーコード６２ａから自動車５０の種類（分類種別）を認識する。
【００６８】
具体的には、コントローラ３３は、例えば、読み取ったバーコード６２ａを、あらかじめメモリに記憶保持されたデータベース情報（バーコード６２ａと自動車５０の種類とを対応付けるデータベース情報）、もしくは外部のサーバ等から事前にダウンロードした当該データベース情報と照合することで、自動車５０の種類を認識（特定）する。あるいは、コントローラ３３は、当該データベース情報を保有する外部のサーバと通信を行うことで、読み取ったバーコード６２ａに対応する自動車５０の種類を示す情報を該サーバから取得してもよい。
【００６９】
さらに、コントローラ３３は、認識した自動車５０の種類に応じて規定される台座シール６１上の部品情報シール６３の配置態様（詳しくは、自動車５０から回収すべき各対象部品に対応する部品情報シール６３と、台座シール６１上の配置領域ＡＲにおける各部品情報シール６３の配置位置との対応関係を示す情報）を認識する。
【００７０】
具体的には、コントローラ３３は、認識した自動車５０の種類を、あらかじめメモリに記憶保持されたデータベース情報（自動車５０の種類と、台座シール６１上の部品情報シール６３の配置態様とを対応付けるデータベース情報）、もしくは外部のサーバ等から事前にダウンロードした当該データベース情報と照合することで、台座シール６１上の各部品情報シール６３の配置態様を認識する。あるいは、コントローラ３３は、当該データベース情報を保有する外部のサーバと通信を行うことで、認識した自動車５０の種類に対応する部品情報シール６３の配置態様を示す情報を該サーバから取得する。
【００７１】
なお、自動車５０の種類が事前に判明している場合には、該種類を示す情報をコントローラ３３に事前に記憶保持させてもよい。この場合には、自動車５０の種類を上記の如く認識する処理をコントローラ３３に実行させることを省略し得る。また、部品情報シール６３の配置態様が事前に判明している場合には、該配置態様を示す情報をコントローラ３３に事前に記憶保持させてもよい。この場合には、該配置態様を上記の如く認識する処理をコントローラ３３に実行させることを省略し得る。
【００７２】
次に、コントローラ３３は、先に取得したカメラ３０の撮影画像中の部品情報シール６３の配置領域ＡＲの画像から、部品情報シール６３が存在している部分の配置状態、あるいは、部品情報シール６３が存在していない部分の配置状態を認識する。換言すれば、コントローラ３３は、配置領域ＡＲのどの位置の部品情報シール６３が存在しているか、あるいは、どの位置の部品情報シール６３が存在していないか（剥離されているか）を特定する。例えば、図３Ｂでは、部品情報シール６３の配置領域ＡＲのうちの白色の部分が、部品情報シール６３が存在しない位置として特定され、灰色の部分が、部品情報シール６３が存在する位置として特定される。
【００７３】
そして、コントローラ３３は、当該特定結果を、部品情報シール６３の配置態様と照合することで、自動車５０から回収すべき対象部品のうちの、どの対象部品が自動車５０から未回収であるか（取り外されていないか）、あるいは、どの対象部品が自動車５０から回収済（取外し済み）であるかを認識する。
【００７４】
この場合、コントローラ３３は、台座シール６１上に存在する部品情報シール６３の配置位置により、未回収の対象部品を認識することができ、また、台座シール６１上から剥離されている部品情報シール６３の配置位置により、回収済の対象部品を認識することができる。従って、コントローラ３３は、部品情報シール６３の記載内容を読み取って認識することを必要とせずに、未回収の対象部品、あるいは、回収済の対象部品を容易に素早く認識（特定）することができる。
【００７５】
次に、コントローラ３３は、未回収の対象部品のうちに、解体作業機械１による回収対象（取外し対象）の所定種類の対象部品が１つ以上存在する場合には、当該対象部品を回収すべき旨の情報を、表示器３２に視覚的な報知情報として表示させる。
【００７６】
これにより、解体作業機械１の運転者は、自動車５０に貼り付けられている部品情報シール６３を直接的に確認したり、あるいは、工程管理表等を確認することを必要とせずに、解体作業機械１により回収すべき対象部品を容易に認識することができる。
【００７７】
さらに、コントローラ３３は、回収すべき対象部品と、自動車５０の種類とから特定される該対象部品の搭載位置（自動車５０における搭載位置）を示す情報を、表示器３２に視覚的な報知情報として表示させる。この場合、コントローラ３３は、例えば、自動車５０の種類と回収すべき対象部品の名称（もしくは種類もしくは部品コード）との組を、あらかじめメモリに記憶保持されたデータベース情報（自動車５０の種類及び対象部品と、該対象部品の搭載位置とを対応付けるデータベース情報）、もしくは外部のサーバ等から事前にダウンロードした当該データベース情報と照合することで、該対象部品の搭載位置を特定する。あるいは、コントローラ３３は、当該データベース情報を保有する外部のサーバと通信を行うことで、回収すべき対象部品の搭載位置を示す情報を該サーバから取得する。
【００７８】
上記のように回収すべき対象部品の搭載位置を示す情報が表示器３２に表示されることで、運転者は該対象部品の搭載位置を認識した上で、該対象部品を自動車５０から取り外して回収する作業を効率よく行うことができる。
【００７９】
また、解体作業機械１による回収対象の対象部品のうちの一部もしくは全部が、既に前工程で取り外されている場合もあり得る。このため、コントローラ３３は、解体作業機械１による回収対象の所定種類の対象部品のうちに回収済の１つ以上の対象部品が存在する場合には、該対象部品が回収済である旨の情報を、表示器３２に視覚的な報知情報として表示させる。
【００８０】
これにより、解体作業機械１の運転者は、解体作業機械１による回収対象の対象部品のうちの回収済の対象部品を認識することができる。ひいては、解体作業機械１による無駄な作業（回収済の対象部品を回収しようとする作業）が行われるのを防止することができる。
【００８１】
なお、解体作業機械１により回収すべき対象部品、あるいは、該対象部品の搭載位置、あるいは、前工程での回収済の対象部品を示す報知情報は、表示器３２での表示に加えて、あるいは、該表示の代わりに、音声等による聴覚的な情報として出力してもよい。
【００８２】
解体作業機械１により目的の対象部品を自動車５０から取り外して回収する作業が終了した後には、解体作業機械１の運転者、あるいは、他の作業者は、回収した対象部品に対応する部品情報シール６３を台座シール６１上から剥がす。また、該運転者又は作業者は剥がした部品情報シール６３を、対応する対象部品、あるいは、該対象部品を収容する収容部材に必要に応じて添付する。
【００８３】
また、本実施形態では、コントローラ３３は、上記した処理の他、例えば、次のような処理も実行し得る。例えば、前工程で回収されるべき対象部品が、なんらかの手違い等により、未回収の対象部品として残存している場合があり得る。そこで、コントローラ３３は、未回収の対象部品（台座シール６１に残存している部品情報シール６３に対応する対象部品）のうちに、前工程で回収されるべき対象部品が残存するか否かを判断する。
【００８４】
なお、自動車５０から回収すべき対象部品のうち、どの対象部品が前工程で回収されるべき対象部品であるかは、例えば、コントローラ３３のメモリにあらかじめ記憶保持され、あるいは、コントローラ３３が適宜、外部サーバ等から取得する。
【００８５】
そして、コントローラ３３は、前工程で回収されるべき対象部品が残存している場合には、例えば、前工程の実施場所に設置されているパソコン、報知装置等の情報出力装置、あるいは、解体作業の管理サーバ等に、未回収の対象部品が存在する旨の情報を自動車５０の種類情報（もしくは自動車５０毎の識別情報）と共に送信して、これらの情報を報知させる。
【００８６】
また、コントローラ３３は、解体作業機械１により対象部品を自動車５０から取り外して回収する作業が行われる毎に、自動車５０の種類を示す情報、作業日時、作業時間等の情報を含む作業情報を記憶保持する。そして、該作業情報を、解体作業機械１による解体作業を管理する外部の管理サーバに送信することを、運転者等による所定の操作に応じて、あるいは、該管理サーバからの要求に応じて実行する。このように、コントローラ３３に記憶保持され、あるいは、管理サーバに送信される作業情報は、解体作業機械１による作業状況、作業効率の把握等に利用され得る。
【００８７】
なお、本発明は、以上説明した実施形態に限定されるものではなく、他の実施形態を採用することもできる。以下に他の実施形態をいくつか説明する。
【００８８】
前記実施形態では、カメラ３０を解体作業機械１に搭載したが、カメラ３０は、例えば、解体作業現場の建屋の屋根、あるいは、支柱等に取付けられていてもよい。また、解体作業機械１にカメラ３０を搭載する場合、その搭載箇所は、運転室３ａ以外の箇所であってもよい。
【００８９】
また、前記実施形態では、車両情報シール６２及び部品情報シール６３を台座シール６１を介して自動車５０に貼り付けるようにしたが、車両情報シール６２及び部品情報シール６３を自動車５０に直接的に貼り付けるようにしてもよい。また、自動車５０に対する車両情報シール６２及び部品情報シール６３の貼り付け部位は、自動車５０の屋根部５１の表面以外の箇所、例えば、フロントガラスであってもよい。該貼り付け部位は、基本的には、解体作業機械１による作業の開始前には、自動車５０から脱離されることがなく、且つ、カメラ３０により撮影し得る部位であればよい。
【００９０】
また、例えば、自動車５０の種類に応じて、部品情報シール６３の配列パターンを異ならせた場合には、コントローラ３３が自動車５０の種類を認識する処理では、コントローラ３３が、シールセット６０の撮影画像中の部品情報シール６３の配置領域ＡＲの画像から、部品情報シール６３の配列パターン（自動車５０の解体開始前の当初の配列パターン）を認識し、当該認識した配列パターンから、データベース情報（該配列パターンと自動車５０の種類とを対応付けるデータベース情報）に基づいて自動車５０の種類を認識するようにしてもよい。このようにした場合には、車両情報シール６２を省略し得る。
【００９１】
また、例えば、自動車５０から回収すべき対象部品が、多数の種類の自動車５０に一般的に搭載されている部品である場合には、部品情報シール６３の全体の配列パターンと、各部品情報シール６３毎の配置位置とは、多数の種類の自動車５０に対して共通のものであってもよい。
【００９２】
また、前記実施形態では、解体対象物体として自動車５０を例示したが、解体対象物体は、自動車５０以外の物体、例えば、列車の車両、船舶、あるいは、油圧ショベル等の建設機械であってもよい。
【００９３】
また、前記実施形態では、各部品情報シール６３には、対応する対象部品の名称、自動車５０における該対象部品の搭載位置、解体作業現場において該対象部品の回収作業を行うべき工程（もしくは場所）等を示す部品識別情報が記載されているが、該部品識別情報は、必ずしも記載されていなくてもよい。
【００９４】
この場合、自動車５０から取り外した対象部品に対応する部品情報シール６３を剥がすときに、例えば、その作業者が、各部品情報シール６３の配置位置と対象部品との対応関係を示す情報を前記表示器３２や、スマートフォン等の適宜の通信端末で確認できるようにしてもよい。
【符号の説明】
【００９５】
１…解体作業機械、３０…カメラ、３３…コントローラ（情報報知部）、６０…シールセット、６２…車両情報シール（第２のシール）、６３…部品情報シール（シール）。
【図１】
2020087454.tif 000003
【図２】
2020087454.tif 000004
【図３】
2020087454.tif 000005